(57)【特許請求の範囲】
【請求項１】
第１架台と、
前記第１架台上で移動する第１移動部と、
前記第１移動部を移動させる第１送り部と、
前記第１架台と前記第１移動部とそれぞれに少なくとも１個が回動自在に軸支される複数の第１支軸と、
打ち抜き孔が設けられた打ち抜き金網を用いて略鼓状に形成され、かつ、前記複数の第１支軸に軸支固定される複数の吸水体固定用回転体と、
ケーブルに当接して回転する副ローラと、
ケーブルの移動とともに回転する副ローラの回転力を前記吸水体固定用回転体に伝達する伝達部と、
を備え、
前記第１架台と前記第１移動部とで軸支される複数の吸水体固定用回転体の周面にそれぞれ吸水体を取り付け、
前記第１移動部を移動させて前記複数の吸水体でケーブルを挟み込むように当接させ、
ケーブルの移動とともに前記複数の吸水体固定用回転体を回転させて前記複数の吸水体により吸水させ、
前記複数の吸水体固定用回転体の打ち抜き孔を介して前記複数の吸水体が吸収した含水を排水することを特徴とするケーブル拭き取り装置。
【請求項２】
請求項１に記載のケーブル拭き取り装置において、
前記第１架台に固定される第２架台と、
第２架台上で移動する第２移動部と、
前記第２移動部を移動させる第２送り部と、
前記第２移動部に回動自在に軸支される第２支軸と、
打ち抜き孔が設けられた打ち抜き金網を用いて略樽状に形成され、かつ、前記第２支軸に軸支固定される脱水用回転体と、
を備え、
前記略鼓状の吸水体固定用回転体と略樽状の脱水用回転体とは周面が略一致して嵌め合わされる形状とし、
前記第２移動部を移動させて前記吸水体固定用回転体と前記脱水用回転体とで前記吸水体を挟み込み、
前記吸水体を圧搾して前記吸水体が吸収した含水を絞り出し、
前記吸水体固定用回転体および／または前記脱水用回転体が有する打ち抜き孔を介して絞り出した水を外部に排水することを特徴とするケーブル拭き取り装置。
【請求項３】
請求項１または請求項２に記載のケーブル拭き取り装置において、
前記吸水体固定用回転体の中空内部に高分子吸水体を配置することを特徴とするケーブル拭き取り装置。
【請求項４】
請求項２または請求項３に記載のケーブル拭き取り装置において、
前記脱水用回転体の中空内部に高分子吸水体を配置することを特徴とするケーブル拭き取り装置。
【請求項５】
請求項１〜請求項４の何れか１項に記載のケーブル拭き取り装置において、
前記吸水体固定用回転体に取り付けられた吸水体が拭き取る位置にケーブルを誘導する誘導部と、
を備えることを特徴とするケーブル拭き取り装置。
【発明の詳細な説明】
【０００１】
【発明の属する技術分野】
本発明は、ケーブルの表面に存在する雨水・洗浄水などを拭き取り、ケーブル表面から水分を除去するケーブル拭き取り装置に関する。
【０００２】
【従来の技術】
長距離にわたってケーブルを敷設する場合、一般に、ケーブル送り装置を用いてケーブルを延線・敷設する。このようなケーブル敷設作業は、屋外や地中管路内という場所で行われる。
屋外では、雨水などの水滴や泥、砂、土、塵埃などの異物がケーブルに付着することが多く、また、地中管路内でも、外部から侵入して堆積した泥などの異物、この泥にできる水たまりによる水滴、または地中管路内のケーブル挿入用の滑剤などがケーブルに付着することが多い。
【０００３】
従来は、このような異物・水滴・滑剤をぬれ雑巾・タオル・ウェスなどを用いて人力で拭き取っていた。このような作業は手間を要し、作業性が悪いものであり、また、拭き取りきれずにケーブルに異物・水滴・滑剤が残留することもあった。
【０００４】
拭き取りにも拘わらずケーブルに残留した異物・水滴・滑剤のため、例えば、ケーブルに接触して送り駆動するゴム車輪状の送り部が異物による磨耗または水滴・滑剤による浸食で劣化する事態や、ケーブル送り用の歯車機構で異物が歯車に噛むことによる損傷または水滴・滑剤による錆びで劣化する事態などが発生していた。劣悪な環境下で使われることが多いケーブル送り装置の早期劣化を防止する必要があった。
【０００５】
このため、洗浄水でケーブルを洗浄してこれら異物・水滴・滑剤を除去したのちにケーブル送り装置を用いてケーブルを送ることが考えられる。しかし、洗浄水で濡れたケーブルによりケーブルを送ると、ケーブルに接触するゴム車輪状の送り部でケーブルが滑ってケーブル送りができない事態や、洗浄水によりゴム車輪状の送り部が浸食劣化する事態や、また、ケーブル送り装置の歯車機構などが洗浄水により錆びて劣化が早まるという事態を引き起こすと予想される。このような洗浄水や雨水による水滴、泥など残留する異物、残留するケーブル挿入用滑剤を確実に除去し、後段のケーブル送り装置の劣化を回避したいという要請があった。
【０００６】
そこで、本願の発明者は、洗浄水を噴射してケーブルを洗浄した後に、洗浄水による水滴、泥など残留する異物、または、残留するケーブル挿入用の滑剤をケーブルから洗浄除去し、ケーブル送り装置でケーブルが滑る事態およびケーブル送り装置が劣化する事態を回避するケーブル洗浄装置を発明し、特願平１１−２３４９８３号・特願平１１−２４４３０４号として特許出願するに至った。
【０００７】
これらケーブル洗浄装置では、洗浄水を除去する除去部が設けられており、洗浄水を除去してからケーブルを後段のケーブル送り装置へ送り出すため、ケーブル送り装置でケーブルが滑る事態やケーブル送り装置が劣化するような事態を生じることはない。しかしながら、万全を期するべくケーブル洗浄装置の後段にケーブルを拭う装置を配し、ケーブル表面を完全に乾燥させる程度までに洗浄水を拭い去るようにしたいという要請があった。
【０００８】
【発明が解決しようとする課題】
本発明は上記課題を解決するためになされたものであり、ケーブル表面の水滴を拭い去り、ケーブル表面を乾燥状態に近づけるケーブル拭き取り装置を提供することを目的とする。
【０００９】
【課題を解決するための手段】
上述の課題を解決するため、請求項１に記載のケーブル拭き取り装置は、
第１架台と、
前記第１架台上で移動する第１移動部と、
前記第１移動部を移動させる第１送り部と、
前記第１架台と前記第１移動部とそれぞれに少なくとも１個が回動自在に軸支される複数の第１支軸と、
打ち抜き孔が設けられた打ち抜き金網を用いて略鼓状に形成され、かつ、前記複数の第１支軸に軸支固定される複数の吸水体固定用回転体と、
ケーブルに当接して回転する副ローラと、
ケーブルの移動とともに回転する副ローラの回転力を前記吸水体固定用回転体に伝達する伝達部と、
を備え、
前記第１架台と前記第１移動部とで軸支される複数の吸水体固定用回転体の周面にそれぞれ吸水体を取り付け、
前記第１移動部を移動させて前記複数の吸水体でケーブルを挟み込むように当接させ、
ケーブルの移動とともに前記複数の吸水体固定用回転体を回転させて前記複数の吸水体により吸水させ、
前記複数の吸水体固定用回転体の打ち抜き孔を介して前記複数の吸水体が吸収した含水を排水することを特徴とする。
【００１０】
また、請求項２に記載のケーブル拭き取り装置は、
請求項１に記載のケーブル拭き取り装置において、
前記第１架台に固定される第２架台と、
第２架台上で移動する第２移動部と、
前記第２移動部を移動させる第２送り部と、
前記第２移動部に回動自在に軸支される第２支軸と、
打ち抜き孔が設けられた打ち抜き金網を用いて略樽状に形成され、かつ、前記第２支軸に軸支固定される脱水用回転体と、
を備え、
前記略鼓状の吸水体固定用回転体と略樽状の脱水用回転体とは周面が略一致して嵌め合わされる形状とし、
前記第２移動部を移動させて前記吸水体固定用回転体と前記脱水用回転体とで前記吸水体を挟み込み、
前記吸水体を圧搾して前記吸水体が吸収した含水を絞り出し、
前記吸水体固定用回転体および／または前記脱水用回転体が有する打ち抜き孔を介して絞り出した水を外部に排水することを特徴とする。
【００１１】
また、請求項３に記載のケーブル拭き取り装置は、
請求項１または請求項２に記載のケーブル拭き取り装置において、
前記吸水体固定用回転体の中空内部に高分子吸水体を配置することを特徴とする。
【００１２】
また、請求項４に記載のケーブル拭き取り装置は、
請求項２または請求項３に記載のケーブル拭き取り装置において、
前記脱水用回転体の中空内部に高分子吸水体を配置することを特徴とする。
【００１３】
また、請求項５に記載のケーブル拭き取り装置は、
請求項１〜請求項４の何れか１項に記載のケーブル拭き取り装置において、
前記吸水体固定用回転体に取り付けられた吸水体が拭き取る位置にケーブルを誘導する誘導部と、
を備えることを特徴とする。
【００１４】
【発明の実施の形態】
図１は、第１実施形態のケーブル拭き取り装置の正面図、図２は、同じく平面図、図３は、同じく右側面図、図４は、同じく底面図、図５は、同じく吸水体固定用回転体を説明する説明図、図６は、Ａ−Ａ線断面図、図７は、ケーブル拭き取りを説明する説明図、図８は吸水体の脱水を説明する説明図である。以下、図１〜図８を用いて本実施形態のケーブル拭き取り装置について説明する。なお、図１，図２，図３，図４では、ケーブル拭き取り装置にケーブルが装着されている状態を図示するものとする。また、図７，図８では誘導部を図示を一部省略して拭き取りに係る要部を示すものとする。
【００１５】
まず、ケーブル拭き取り装置の構成について説明する。図１〜図５で示すように第１架台１には、吸水体固定用回転体２が固定された第１支軸３が、軸受４を介して回動自在に軸支されている。
同様に、図２，図６で示すように、吸水体固定用回転体５が固定された第１支軸６は、軸受７を介して第１移動部８に回動自在に軸支されている。
この第１移動部８は、第１架台１に対し、図２の矢印ａに示す方向（水平方向）に移動自在となるように構成される。
【００１６】
具体的には、図６で示すように、第１移動部８は、第１架台１の溝部９ａ，９ｂに沿って摺動する。そして、図１に示すように第１架台１に固定される第１ナット部１０に螺挿される第１送りねじ１１により駆動される。このような第１ナット部１０と第１送りねじ１１とを第１送り部とする。この第１送り部を駆動するために、本実施形態では第１送りねじ１１の先端に第１ハンドル１２を固定した構成とする。作業員が第１ハンドル１２を回動させて、手動により第１送り部を駆動する。
【００１７】
吸水体固定用回転体２，５は、図５で示すように、予め孔が打ち抜かれた打ち抜き金網を用いて、略鼓状となるように形成される。図４に示す底板２ａ，５ａも打ち抜き孔を有し、吸水体固定用回転体２，５の内部には水が貯まらないようになされている。吸水体固定用回転体２，５は、第１支軸３，６に容易に着脱可能とするため、割ピンや取付金具により取り付けられている。
【００１８】
図１で示すように吸水体固定用回転体２，５には、外周を覆うように、吸水体１３，１４が取り付けられる。吸水体１３，１４は吸水性が良好な材料で作られており、具体的には、セーム皮、フェルト、タオル、高分子吸水体などが挙げられる。吸水体１３，１４は、取付バンド１５，１６を用いて吸水体固定用回転体２，５に表面が張られた状態で取り付けられる。このように取付バンド１５，１６を用いることで吸水体１３，１４の取り付け作業・取り外し作業を容易に行うことができる。
【００１９】
図２で示すように第１架台１には第２架台１７，１８が固定されている。第２架台１７，１８にはそれぞれ第２移動部１９，２０が取り付けられている。これらの第２移動部１９，２０は、第２架台１７，１８に設けられた図示しない溝部に沿って摺動する。そして、図４に示すように第２架台１７，１８に固定される第２ナット部２１，２２に螺挿される第２送りねじ２３，２４により第２移動部１９，２０は移送される。これら第２ナット部２１，２２と第２送りねじ２３，２４とを第２送り部とする。
【００２０】
これら第２送り部を駆動するために、本実施形態では第２送りねじ２３，２４の先端に第２ハンドル２５，２６を固定した構成とする。作業員が第２ハンドル２５，２６を回動させて、手動によりこれら第２送り部を駆動する。
このような構成は先に説明した第１移動部の構成と概略同じである。
【００２１】
第２送り部により駆動される第２移動部１９，２０には図示しない軸受けを介して第２支軸２７，２８が回動自在となるように軸支されている。これら第２支軸２７，２８には脱水用回転体２９，３０が軸支固定されている。
これらの脱水用回転体２９，３０は、図３，図４，図８で示すように、予め打ち抜き孔を打ち抜いた打ち抜き金網を用いて、略樽状となるように形成される。図４で示すように底板２９ａ，３０ａも打ち抜き孔を有し、脱水用回転体２９，３０の内部には水が溜まらないようになされている。脱水用回転体２９，３０は、第２支軸２７，２８に容易に着脱可能とするため、割ピンや取付金具により取り付けられている。
なお、本実施形態では図４で示すように、脱水用回転体２９，３０は矢印ｂと平行に移動するように取り付けられているが、図示しないものの第１架台１に対し、第２架台１７，１８を略ハ字状に広がるように取り付け、脱水用回転体２９，３０が斜め方向から進入して吸水体固定用回転体２，５に当接するようにしても良い。
【００２２】
第１架台１には、ケーブル３１を誘導する誘導部３２が取り付けられている。誘導部３２は、水平方向へ平行に配置される２本のローラ３２ａ，３２ｂと、垂直方向へ平行に配置される２本のローラ３２ｃ，３２ｄとを備えている。これらローラは、図３，図４に示すように棒状のローラであって、矢印ｂで示す延線方向へ移動するケーブル３１が接触するとき、ケーブル３１に沿って回転するように構成されている。
【００２３】
図４で示すように本実施形態の誘導部３２は、牽引方向を基準とすると吸水体固定用回転体２，５の前に配置される前段の誘導部３２および吸水体固定用回転体２，５の後に配置される後段の誘導部３２があり、ケーブル３１が安定して移動するように誘導する。
なお、誘導部３２は、図に示すような構成以外にも、例えば前段のみ、または後段のみ誘導部３２を有する形態としても良い。
【００２４】
また、誘導部３２を取り去ったケーブル拭き取り装置としても良い。ケーブル３１は略鼓形状の吸水体固定用回転体２，５の最小半径となる中央近傍で安定して位置し、仮に中央から上下方向に移動しようとしても、略鼓形状の吸水体固定用回転体２，５間の半径方向の隙間が上下に進むにつれ小さくなり、ケーブル３１は移動しづらくなる。したがってケーブル３１を中央近傍に誘導し、ケーブル３１が吸水体固定用回転体２，５から外れる事態は発生しない。
吸水体固定用回転体２，５が凹状なので、ケーブル３１が真っ直ぐに導入される場合は凹状に集約されるので誘導部３２は無くても良い。
このように、前段・後段の誘導部３２がある場合、前段のみの誘導部３２がある場合、後段のみの誘導部３２がある場合、誘導部３２がない場合のいずれの形態を用いても、本発明の効果を奏する。
【００２５】
続いて本実施形態の拭き取り動作について説明する。図７で示すように、ケーブル３１を吸水体１３，１４で挟み込んでケーブル３１の表面に接触させ、ケーブル３１の表面に残る水滴を吸収する。第１ハンドル１２を操作して吸水体固定用回転体５を更に矢印ｃの方向に移動させれば、吸水体１３，１４によるケーブル３１の接触面積が増加するため、更に吸収能力を高めることができる。
【００２６】
拭き取り動作を続けると、吸水体１３，１４が含む水（以下、含水という。）が増加し、吸収能力が低下してくる。そこで、第２ハンドル２５，２６を予め操作して脱水用回転体２９，３０を移動させ、図８で示すように吸水体固定用回転体２と脱水用回転体２９とで吸水体１３を、また、吸水体固定用回転体５と脱水用回転体３０とで吸水体１４を挟み込み圧搾する。
【００２７】
吸水体１３，１４から圧搾された水は、外部へ流れたり、また、打ち抜き孔を介して吸水体固定用回転体２，５および脱水用回転体２９，３０の内部へ流れる。
しかしながら、打ち抜き孔を介して吸水体固定用回転体２，５および脱水用回転体２９，３０の内部へ流れこんだ水は、吸水体固定用回転体２，５の底板２ａ，５ａおよび脱水用回転体２９，３０の底板２９ａ，３０ａにある打ち抜き孔を介して外部へ排水される。
【００２８】
なお、ケーブル拭き取り装置を縦置きにするような場合、図４のケーブル拭き取り装置で脱水用回転体２９，３０が下側に、吸水体固定用回転体２，５が上側となるように配置する。吸水体１３，１４から圧搾された水の殆どが、脱水用回転体２９，３０へ滴下して、吸水体１３，１４が再び水を吸水するような事態は生じない。また、吸水体１３，１４の圧搾が終了したのちにケーブル３１に当接して吸水するため、ケーブル３１から水滴を確実に吸水する。
【００２９】
続いて、第２実施形態のケーブル拭き取り装置について説明する。図９は、第２実施形態のケーブル拭き取り装置の平面図、図１０は、同じく底面図である。以下、図９，図１０を用いて本実施形態のケーブル拭き取り装置について説明する。なお、第２実施形態は、第１実施形態に構成を追加する形態であり、追加構成についてのみ詳述し、第１実施形態と同一構成は、同一の符号を付するとともにその説明を省略する。
【００３０】
図９，図１０に示すように第２実施形態は、第１実施形態のケーブル拭き取り装置の構成に加え、第１架台１に固定される第３架台３３と、図示しない軸受けを介して第３架台３３に回動自在に軸支される第３支軸３４，３５と、これら第３支軸３４，３５に軸支固定される副ローラ３６，３７と、第３支軸３４，３５の他端に取り付けられる第１プーリー３８，３９と、第１プーリ３８，３９の回転を伝導するベルト４０，４１と、第１支軸３，６に取り付けられ、かつ、ベルト４０，４１が伝える回転力を吸水体固定用回転体２，５に伝える第２プーリー４２，４３とを備えている。
副ローラ３６，３７は、ケーブル３１の移動に従動して回転するように、表面の摩擦抵抗力が高いゴムなどで形成されている。
本発明の伝達部は、第１プーリ３８，３９、ベルト４０，４１、第２プーリー４２，４３が該当する。
【００３１】
続いて本実施形態の動作について概略説明する。吸水体１３，１４により表面が乾燥状態となったケーブル３１が副ローラ３６，３７と接し、副ローラ３６，３７は従動して回転する。副ローラ３６，３７の回転は、第３支軸３４，３５を介して第１プーリー３８，３９へ伝えられ、さらに、ベルト４０，４１を介して第２プーリー４２，４３へ伝えられる。第２プーリー４２，４３の回転は、第１支軸３，６を介して吸水体固定用回転体２，５へ伝達される。このようにしてケーブル３１の移動が吸水体固定用回転体２，５の回転動作に変換される。
【００３２】
なお、副ローラ３６，３７の半径と吸水体固定用回転体２，５の半径が異なるため、これらの回転速度が略同一となるように第１プーリー３８，３９と第２プーリー４２，４３の半径を調節しても良い。
もちろん、副ローラ３６，３７の半径や、吸水体固定用回転体２，５の半径を調節しても良い。これら構成は適宜設計される。
【００３３】
なお、本発明のケーブル拭き取り装置では、設計の共通化のため他の装置の架台を用いても良い。図１１は、ケーブル拭き取り装置の他の架台の形状を説明する説明図である。図１１で示す第４架台４４は、ケーブルを牽引するために用いるウィンチドラム式延線装置の架台である。ウィンチドラム式延線装置の架台は一対の車輪と１個のウィンチドラムとを配置するため略Ｌ字状の架台となっている。この場合ウィンチドラムを取り外して用いている。
設計の共通化により、経済性が見いだされ、１台の装置であっても部品を取り替えて、ある時はケーブル拭き取り装置、あるときはウィンチドラム式延線装置として用いることができる。例えば、ケーブルの洗浄・拭き取り作業の必要がない晴れの時はケーブル拭き取り装置の代わりにウィンチドラム式延線装置として使用でき、雨のときはケーブル拭き取り装置として使用できる。
【００３４】
以上、第１および第２実施形態のケーブル拭き取り装置について説明した。なお、このような形態に加え、吸水体固定用回転体２，５および脱水用回転体２９，３０の中空内部に高分子吸水体を配置し、吸水体固定用回転体２，５および脱水用回転体２９，３０の内部に流れこんだ水を吸水するようにしても良い。
【００３５】
また、吸水体１３、１４は、吸水体固定用回転体２，５の取り付け用として準備した丈夫な布にセーム皮、フェルト、タオル、高分子吸水体を貼り付け、または、縫い付けて作成した吸水体としてもよい。このように吸水体は吸水能力を備えていればよく適宜設計される。
【００３６】
また、第１および第２実施形態のケーブル拭き取り装置では、一対の吸水体固定用回転体を有するものとして説明した。しかしながら、ケーブルの拭き取り能力を高めるために複数対（２対、３対など）の吸水体固定用回転体を有するものとしても良い。
さらに、複数対の吸水体固定用回転体それぞれに１つの脱水用回転体を有する構造として吸水体の含水を絞り取る構造にしても良い。吸水体固定用回転体の数については適宜設計される。
【００３７】
【発明の効果】
以上説明した本発明のケーブル拭き取り装置によれば、ケーブル表面の水滴を拭い去り、ケーブル表面を乾燥状態に近づけるケーブル拭き取り装置を提供することができる。
【図面の簡単な説明】
【図１】本発明の第１実施形態のケーブル拭き取り装置の正面図である。
【図２】本発明の第１実施形態のケーブル拭き取り装置の平面図である。
【図３】本発明の第１実施形態のケーブル拭き取り装置の右側面図である。
【図４】本発明の第１実施形態のケーブル拭き取り装置の底面図である。
【図５】本発明の第１実施形態のケーブル拭き取り装置の吸水体固定用回転体を説明する説明図である。
【図６】本発明の第１実施形態のケーブル拭き取り装置のＡ−Ａ線断面図である。
【図７】本発明の第１実施形態のケーブル拭き取り装置のケーブル拭き取りを説明する説明図である。
【図８】本発明の第１実施形態のケーブル拭き取り装置の吸水体の脱水を説明する説明図である。
【図９】本発明の第２実施形態のケーブル拭き取り装置の平面図である。
【図１０】本発明の第２実施形態のケーブル拭き取り装置の底面図である。
【図１１】ケーブル拭き取り装置の他の架台の形状を説明する説明図である。
【符号の説明】
１                                第１架台
２，５                            吸水体固定用回転体
２ａ，５ａ                        底板
３，６                            第１支軸
４，７                            軸受
８                                第１移動部
９ａ，９ｂ                        溝部
１０                              第１ナット部
１１                              第１送りねじ
１２                              第１ハンドル
１３，１４                        吸水体
１５，１６                        取付バンド
１７，１８                        第２架台
１９，２０                        第２移動部
２１，２２                        第２ナット部
２３，２４                        第２送りねじ
２５，２６                        第２ハンドル
２７，２８                        第２支軸
２９，３０                        脱水用回転体
２９ａ，３０ａ                    底板
３１                              ケーブル
３２                              誘導部
３２ａ，３２ｂ，３２ｃ，３２ｄ    ローラ
３３                              第３架台
３４，３５                        第３支軸
３６，３７                        副ローラ
３８，３９                        第１プーリー
４０，４１                        ベルト
４２，４３                        第２プーリー
４４                              第４架台
【図１】
0004257762.tif 000002
【図２】
0004257762.tif 000003
【図３】
0004257762.tif 000004
【図４】
0004257762.tif 000005
【図５】
0004257762.tif 000006
【図６】
0004257762.tif 000007
【図７】
0004257762.tif 000008
【図８】
0004257762.tif 000009
【図９】
0004257762.tif 000010
【図１０】
0004257762.tif 000011
【図１１】
0004257762.tif 000012